(57)【要約】【課題】検知センサーの検知情報の制約により、冷蔵庫の動作部品を動かすアクチュエータの動作を任意に行うことができず、その正常、異常を容易に判断できなかった。【解決手段】操作パネルからアクチュエータ操作モードの入力により、アクチュエータを独立に動作できるようにし、サービス時や冷蔵庫製造ラインにおいて、アクチュエータを独立に動作させ、動作部品の動作を調べ、アクチュエータの異常検出を容易に行える冷蔵庫を得る。【選択図】　　　　図２
2004101068.tif 000002
【特許請求の範囲】
【請求項１】
圧縮機、凝縮機、減圧装置、冷却器等を順次接続した冷凍サイクルと冷却室とを有する冷蔵庫において、
冷蔵庫の各種動作部品を動作させるアクチュエータを制御する冷蔵庫制御基板と、
前記冷蔵庫制御基板と信号の送受信が可能な操作パネルとを備え、
前記操作パネルからのアクチュエータ操作モードの入力により、前記冷蔵庫制御基板は、アクチュエータの動作に関する、センサ検知情報からの制約を解除し、前記操作パネルからの指令により、前記冷蔵庫制御基板が関連のアクチュエータを独立に動作させることを特徴とする冷蔵庫。
【請求項２】
アクチュエータ操作モードにおいて、前記操作パネルにより、所定の動作部品のアクチュエータ動作指令が入力され、前記冷蔵庫制御基板が前記アクチュエータを動作させ、その動作結果により前記アクチュエータの異常判定を行うことを特徴とする請求項１に記載の冷蔵庫。
【請求項３】
アクチュエータ操作モードにおいて、前記操作パネルから、前記圧縮機の運転及び回転数設定指令の入力により、前記冷蔵庫制御基板が、前記圧縮機を前記設定回転数指定で動作させ、前記圧縮機運転開始から所定の時間後の冷却器温度検知センサの検知情報と、前記圧縮機運転開始時の冷却器温度検知センサの検知情報に基づく前記所定の時間後の前記設定回転数に対応する冷却器温度との比較により、前記圧縮機の設定回転数が正常かどうか判定することを特徴とする請求項１又は請求項２に記載の冷蔵庫。
【請求項４】
アクチュエータ操作モードにおいて、前記操作パネルから、前記冷却器と前記冷却室間のダクトに設けた冷気調整ダンパの動作及び開度設定の指令の入力により、前記冷蔵庫制御基板が、前記ダンパの開度を設定開度指定で動作させ、また前記冷却器からの冷却風を前記ダクトを経由して前記冷却室に送付する庫内ファンと前記圧縮機とを動作させ、
前記一連の動作開始から所定の時間後の冷却室温度検知センサの検知情報と、前記一連の動作開始時の冷却室温度検知センサの検知情報に基づく前記所定の時間後の前記ダンパの設定開度に対応する冷却室温度との比較により、前記ダンパの開度設定が正常かどうか判定することを特徴とする請求項１又は請求項２に記載の冷蔵庫。
【請求項５】
アクチュエータ操作モードにおいて、前記操作パネルから、三方切替弁の動作及び開度設定の指令の入力により、前記冷蔵庫制御基板が、前記三方切替弁の開度を設定開度指定で動作させ、また前記圧縮機を動作させ、
前記一連の動作開始から所定の時間後の冷却器温度検知センサの検知情報と、前記一連の動作開始時の冷却器温度検知センサの検知情報に基づく前記所定の時間後の前記三方切替弁の設定開度に対応する冷却器温度との比較により、前記三方切替弁の開度設定が正常かどうか判定することを特徴とする請求項１又は請求項２に記載の冷蔵庫。
【請求項６】
アクチュエータ操作モードにおいて、前記操作パネルから、前記冷却器の除霜用ヒータの動作指令の入力により、前記冷蔵庫制御基板が、前記除霜用ヒータを動作させ、また前記圧縮機を動作させ、
前記一連の動作開始から所定の時間後の冷却器温度検知センサの検知情報と、前記一連の動作開始時の冷却器温度検知センサの検知情報に基づく前記所定の時間後の前記除霜用ヒータ動作に対応する冷却器温度との比較により、前記除霜用ヒータの動作が正常かどうか判定することを特徴とする請求項１又は請求項２に記載の冷蔵庫。
【請求項７】
アクチュエータ操作モードにおいて、前記操作パネルから、前記冷却器からの冷却風を送付する庫内ファンの動作及び回転数設定指令の入力により、前記冷蔵庫制御基板が、前記庫内ファンを前記設定回転数指定で動作させ、前記庫内ファンからの回転数を示すフィードバック信号により、前記庫内ファンの回転数が正常かどうか判定することを特徴とする請求項１又は請求項２に記載の冷蔵庫。
【請求項８】
アクチュエータ操作モードにおいて、前記操作パネルから、機械室ファン動作及び回転数設定指令の入力により、前記冷蔵庫制御基板が、前記機械室ファンを前記設定回転数指定で動作させ、前記機械室ファンからの回転数を示すフィードバック信号により、または前記冷蔵庫制御基板が、前記機械室ファンを前記設定回転数指定で動作させ、前記一連の動作開始から所定の時間後の機械室温度検知センサの検知情報と、前記一連の動作開始時の機械室温度検知センサの検知情報に基づく前記所定の時間後の前記機械室ファン動作に対応する機械室温度との比較により、前記機械室ファンの回転数が正常かどうか判定することを特徴とする請求項１又は請求項２に記載の冷蔵庫。
【請求項９】
前記冷却室が、室内の温度を検知する野菜室温度検知センサと野菜室ヒータとを備えた野菜室であり、
アクチュエータ操作モードにおいて、前記操作パネルから、前記野菜室ヒータの動作指令の入力により、前記冷蔵庫制御基板が、前記野菜室ヒータを動作させ、
前記野菜室ヒータの動作開始から所定の時間後の前記野菜室温度検知センサの検知情報と、前記野菜室ヒータ動作開始時の前記野菜室温度検知センサの検知情報に基づく前記所定の時間後の前記野菜室ヒータ動作に対応する野菜室温度との比較により、前記野菜室ヒータの動作が正常かどうか判定することを特徴とする請求項１又は請求項２に記載の冷蔵庫。
【請求項１０】
前記操作パネルとして、前記アクチュエータ操作モードの入力により、前記アクチュエータを任意に動作させるアクチュエータ操作専用パネルを備えたことを特徴とする請求項１から請求項９のいずれかの請求項に記載の冷蔵庫。
【請求項１１】
冷蔵庫とサービスセンタとをインターネット網またはエコネットで接続することにより、アクチュエータの運転状態、異常等をサービスセンタで受信及び冷蔵庫使用者から通報することを特徴とした請求項１から１０のいずれかの請求項に記載の冷蔵庫。
【発明の詳細な説明】
【０００１】
【発明の属する技術分野】
この発明は冷蔵庫に関し、特に冷蔵庫の動作部品が正常に働くかどうか検査するために、関連のアクチュエータを独立に動作させることが可能な冷蔵庫に関するものである。
【０００２】
【従来の技術】
従来の冷蔵庫の圧縮機の異常確認は、次のように行われる。
庫内温度検出部により検出された庫内温度と、ユーザが操作パネルの温度設定部に設定した温度とを比較して、圧縮機を高速運転、中側運転、低速運転又は運転停止の何れのパターンで動作させるか決定する。
次いで、回転数検出部から現状の圧縮機の状態を取得し、更に、圧縮機を前記の決定パターンになるように運転又は停止させる。
そして、例えば、制御部からの運転指令が、停止から高速運転、中速運転及び低速運転に何れかに切り変り、停止中の圧縮機が起動された時、回転数検出部が圧縮機の回転数を検出し、圧縮機の回転数が正常か、異常か確認する（例えば、特許文献１参照。）。
【０００３】
【特許文献１】
特開２０００−２０５７２５号公報（第２頁、第３頁、図５、図７）
【０００４】
【発明が解決しようとする課題】
以上のように、従来の冷蔵庫においては、冷蔵庫の運転中は、冷蔵室温度センサ、冷凍室温度センサ等の庫内温度検出部にて検出した温度を冷蔵庫制御基板に入力し、冷蔵庫制御基板は、これらのセンサ検知情報に基づく所定の規定された指令を動作部品を動かす各アクチュエータに出力し、圧縮機の回転数等を制御していた。
また、特別に、動作部品及びこれらを動かすアクチュエータの動作検査を行う方法もなかった。
そこで、動作部品及びそのアクチュエータの動作を検査する場合は、冷蔵庫の運転中に、それぞれの動作部品及びそのアクチュエータがセンサ検知情報に基づく所定の規定された動作をしている時にしか行うことができなかった。
従って、サービス時や冷蔵庫製造ラインにおいて、アクチュエータを任意に動作させ、その時の動作部品の状態を検出することはできず、動作部品及びそのアクチュエータの動作を検査することが困難であった。
【０００５】
本発明は、前記問題点を解決するためになされたもので、サービス時や冷蔵庫製造ラインで、各アクチュエータを独立に動作させることができ、動作部品の動作を検出し、アクチュエータの異常検出が容易にできる冷蔵庫を得ることを目的とする。
【０００６】
【課題を解決するための手段】
この発明の冷蔵庫は、圧縮機、凝縮機、減圧装置、冷却器等を順次接続した冷凍サイクルと冷却室とを有する冷蔵庫であって、冷蔵庫の各種動作部品を動作させるアクチュエータを制御する冷蔵庫制御基板と、冷蔵庫制御基板と信号の送受信が可能な操作パネルとを備え、
操作パネルからのアクチュエータ操作モードの入力により、冷蔵庫制御基板は、アクチュエータの動作に関する、センサ検知情報からの制約を解除し、操作パネルからの指令により、冷蔵庫制御基板が関連のアクチュエータを独立に動作させるものである。
【０００７】
【発明の実施の形態】
実施の形態１．
図１はこの発明の実施の形態１を示す冷蔵庫の外観図であり、図２は同じく冷蔵庫制御基板の制御を説明するための冷蔵庫の縦断面図であり、図３は、操作パネル、冷蔵庫制御基板、及びアクチュエータが動かす動作部品の関係を説明する図である。
これらの図において、冷蔵庫（本体）１は、冷蔵庫内部に冷却室であるである冷蔵室２、野菜室３及び冷凍室４が形成されている。
また、冷蔵庫１は、圧縮機５、冷凍室４の背部に設置された冷却器６、三方切替弁７、冷却器６の除霜を行なう除霜用ヒータ８、冷蔵庫ダクト９、野菜室ヒータ１０、冷却器温度検知センサ１１（検知温度帯対応の設定抵抗２４付き）、冷凍室ダクト１２、設定抵抗２４付きの冷蔵室温度センサ１３（検知温度帯対応の設定抵抗２４付き）、野菜室温度検知センサ１４（検知温度帯対応の設定抵抗２４付き）、冷凍室温度センサ１５（検知温度帯対応の設定抵抗２４付き）、操作パネル１６、冷蔵庫制御基板１７、機械室温度検知センサ１８（検知温度帯対応の設定抵抗２４付き）、冷却器６の上方に設置された庫内ファンモータ１９ａ、庫内ファンモータに取り付けられた庫内ファン１９ｂ、冷凍室冷気調整ダンパ２０、冷凍室冷気調整ダンパ２１を有する。
操作パネル１６は、送受信装置により冷蔵庫制御基板１７と信号の送受信を行い、冷蔵庫制御基板１７に冷蔵庫１の制御の指令を出す。また、冷蔵庫制御基板１７は操作パネル１６からの指令を受けると、その指令より冷蔵庫の制御を行う。
【０００８】
通常の冷蔵庫の運転は、操作パネル１６の運転指令により、冷蔵庫制御基板１７が圧縮機５、凝縮器（図示せず）、減圧装置（図示せず）、冷却器６等から成る冷凍サイクル及び庫内ファン２０等を運転し、冷蔵庫を運転する。
庫内ファン２０が駆動されると冷却器６より冷却された冷気は、冷蔵室ダクト９及び冷凍室ダクト１２に送り込まれる。冷気量は、該各ダクト内に設けられた冷蔵室冷気調整ダンパ２０、冷凍室冷気調整ダンパ２１により調整される。
【０００９】
この際、冷蔵庫制御基板１７は、冷蔵室温度センサ１３、冷凍室温度センサ１５等のセンサ情報に基づき、冷蔵庫の動作部品を動かす各アクチュエータに所定の指令を出し、制御する。
即ち、冷蔵室２に配置され冷蔵室２の温度を検知する冷蔵室温度センサ１３及び冷凍室４に配置され冷凍室４の温度を検知する冷凍室温度センサ１５、それぞれの検知温度を冷蔵庫制御基板１７に入力し、冷蔵庫制御基板１７が、これらに基づき、圧縮機５の回転数、庫内ファンモータ１９ａの回転数、冷蔵室冷気調整ダンパ２０、冷凍室冷気調整ダンパ２１の開度、圧縮機５の回転数により、三方切替弁７の切り替えの制御を行う。
また、三方切替弁７の確認は、所定の操作で三方切替弁７を往復動作をさせ、その往復時間や動作音により診断を行う。
【００１０】
次に、圧縮機５の回転数設定の異常判定を行うアクチュエータ操作モードに付いて説明する。
冷蔵庫運転中に、操作パネル１６を所定の操作、例えば通常操作上ありえないスイッチを複数個同時に長押しすることにより、アクチュエータ操作モードとする。本モードにおいては、センサ検知情報からの制約が解除され、操作パネル１６からの指令により、冷蔵庫制御基板１７が、冷蔵庫動作部品の関連のアクチュエータを独立に操作させることが可能となる。即ち、操作パネル１６のアクチュエータ操作モード指令により、冷蔵庫制御基板１７は、冷蔵室温度センサ１３、冷凍室温度センサ１５等のセンサ情報径路を遮断し、冷蔵庫の動作部品を動かす各アクチュエータに独立に操作パネル１６からの指令を出す径路により、これらを制御する。
【００１１】
次いで、操作パネル１６のスイッチで圧縮機運転操作状態に設定し、さらに、運転させたい回転数を設定する。このように圧縮機５の回転数は、任意に設定できるので、設定回転数を変え判定できる。操作パネル１６の圧縮機運転及び回転数設定指令の入力により、冷蔵庫制御基板１７は、圧縮機５を設定回転数指定で動作させる。また、冷却器温度検知センサ１１は冷却器６の温度を検知する。
操作パネル１６に、この時の圧縮機５の回転数及び冷却器６の温度を表示する。冷却器温度検知センサ１１は、温度の変化に伴い抵抗値が変化する。これを設定抵抗と分圧し、冷蔵庫制御基板１７に電圧として入力し、これを温度換算し表示を行う。
【００１２】
この様に、圧縮機５の設定回転数と冷却器温度検知センサ１１の温度表示を行うことにより、設定回転数での運転開始時の冷却器温度検知センサ１１の検知温度と、所定の時間、例えば５分間設定回転数で運転させ、５分後の冷却器温度検知センサ１１の検知温度を比較することにより、即ち、設定回転数での圧縮機運転開始時の冷却器温度検知センサの検知情報に基づく５分後の設定回転数に対応する冷却器温度と、圧縮機運転開始から５分後の冷却器温度検知センサの検知情報との比較により、この際、設定回転数での圧縮機運転開始時の冷却器温度検知センサの検知情報に基づく所定時間後の設定回転数に対応する冷却器温度の算出は、冷蔵庫制御基板１７がデータベースにより演算する。
操作パネル１６の表示は、正常、異常をＬＥＤによる点灯、点滅で行っても良い。また、正常、異常をブザー音の音色、ブザー音回数で知らせても良い。
【００１３】
本実施の形態では、アクチュエータ操作モードにおいて、操作パネル１６により、所定の動作部品のアクチュエータ動作指令が入力され、冷蔵庫制御基板１７がアクチュエータを動作させ、その動作結果によりアクチュエータの異常判定を行うので、センサ検知情報からの制約が解除され、操作パネル１６からの指令により、冷蔵庫制御基板１７が、冷蔵庫動作部品の関連のアクチュエータを独立に操作させることが可能となり、アクチュエータの異常確認が容易となる。
また、アクチュエータ操作モードにおいて、操作パネル１６から、圧縮機５の運転及び回転数設定指令の入力により、冷蔵庫制御基板１７が、圧縮機５を設定回転数指定で動作させ、圧縮機運転開始から所定の時間後の冷却器温度検知センサ１１の検知情報と、圧縮機運転開始時の冷却器温度検知センサ１１の検知情報に基づく所定の時間後の設定回転数に対応する冷却器温度との比較により、圧縮機５の設定回転数が正常かどうか判定するので、冷蔵庫１を解体させなくても、圧縮機５の設定回転数が、正常、異常かの判断が容易に確認できる。
【００１４】
次に、圧縮機５の回転数の異常判定動作を図４の圧縮機の異常検出のフローチャートでさらに説明する。
まず、Ｓｔｅｐ１で、所定の操作パネルのスイッチ操作により、アクチュエータ操作モードにする。
Ｓｔｅｐ２で操作パネルのスイッチ操作により、圧縮機運転操作状態にする。Ｓｔｅｐ３で操作パネルのスイッチ操作により、圧縮機の運転、停止を選択する。圧縮機停止を選択された場合は、Ｓｔｅｐ７で圧縮機を停止させる。また、Ｓｔｅｐ３で圧縮機運転を選択した場合は、Ｓｔｅｐ４で圧縮機運転状態となる。
ついで、Ｓｔｅｐ５で設定したい回転数を選択し、Ｓｔｅｐ６で選択された回転数で圧縮機を運転させる。
Ｓｔｅｐ８で圧縮機運転開始後、５分経過を判定し、５分経過していた場合は、Ｓｔｅｐ９で冷却器温度が所定温度分下がったかを判定する。Ｓｔｅｐ９で所定温度分下がっていた場合は、圧縮機は正常表示を行い、また、所定温度分下がっていなかった場合は、圧縮機異常表示を行う。
【００１５】
実施の形態２．
本実施の形態は、冷蔵室冷気調整ダンパ２０または、冷凍室冷気調整ダンパ２１の開度設定の異常判定を行うものであり、冷蔵庫１の構造及び通常の運転動作は、前記実施の形態１と同じである。
【００１６】
以下、図１、２、３により、冷蔵庫１の冷却室である冷蔵室２の冷蔵室冷気調整ダンパ２０、冷蔵庫１の冷却室である冷凍室４の冷凍室冷気調整ダンパ２１の開度設定の異常判定動作を説明する。
冷蔵庫運転中に、操作パネル１６を所定の操作、例えば通常操作上ありえないスイッチを複数個同時に長押しすることにより、アクチュエータ操作モードとなる。次いで、操作パネル１６のスイッチで冷蔵室冷気調整ダンパ２０または、冷凍室冷気調整ダンパ２１を操作状態に設定し、続いて、冷蔵室冷気調整ダンパ２０または、冷凍室冷気調整ダンパ２１の開度を設定する。アクチュエータ操作モードでは、任意の開度に設定することが可能となり、開度を変えて検査できる。
【００１７】
操作パネル１６の冷蔵室冷気調整ダンパ２０または、冷凍室冷気調整ダンパ２１を操作状態に設定及び開度設定の入力により、冷蔵庫制御基板１７は冷蔵室冷気調整ダンパ２０または、冷凍室冷気調整ダンパ２１の開度を設定開度指定で動作させる。
なお、操作パネル１６が冷蔵室冷気調整ダンパまたは、冷凍室冷気調整ダンパ操作状態に設定した場合は、庫内に冷気を循環させるために、冷蔵庫制御基板１７は圧縮機５及び庫内ファン１９ｂも同時に運転させる。
【００１８】
この時の設定開度を操作パネル１６に表示すると共に、冷却室温度検知センサである冷蔵室温度センサ１３または、冷却室温度検知センサである冷凍室温度センサ１５の温度の表示を行う。開度を設定した時の冷却室温度検知センサの検知温度と、所定の時間、例えば５分経過後の冷却室温度検知センサの検知温度とを比較することにより、即ち、前記一連の動作開始から所定の５分後の冷却室温度検知センサの検知情報と、前記一連の動作開始時の冷却室温度検知センサの検知情報に基づく所定の時間後のダンパの設定開度に対応する冷却室温度との比較により、冷蔵庫１の外観からでは確認できない冷気調整ダンパが、即ち、冷蔵室調整ダンパ１３または、冷凍室調整ダンパ１５が設定開度で動作しているかが、冷蔵庫を解体しなくても容易に確認することができる。
【００１９】
この際、前記一連の動作開始時の冷却室温度検知センサの検知情報に基づく所定時間後のダンパの設定開度に対応する冷却室温度の算出は、冷蔵庫制御基板１７がデータベースにより演算する。
操作パネル１６の表示は、正常異常をＬＥＤによる点灯、点滅で行っても良い。また、また、正常、異常をブザー音の音色、ブザー音回数で知らせても良い。
【００２０】
本実施の形態では、アクチュエータ操作モードにおいて、操作パネル１６から、冷却器６と冷却室間のダクトに設けた冷気調整ダンパの動作及び開度設定の指令の入力により、冷蔵庫制御基板１７が、ダンパの開度を設定開度指定で動作させ、また冷却器６からの冷却風を前記ダクトを経由して冷却室に送付する庫内ファン１９ｂと圧縮機５とを動作させ、一連の動作開始から所定の時間後の冷却室温度検知センサの検知情報と、前記一連の動作開始時の冷却室温度検知センサの検知情報に基づく所定の時間後のダンパの設定開度に対応する冷却室温度との比較により、ダンパの開度設定が正常かどうか判定するので、アクチュエータを独立に動作させることにより、冷蔵庫１を解体させなくても、冷気調整ダンパが設定開度で動作しているかの判断が容易に確認できる。
【００２１】
実施の形態３．
本実施の形態は、三方切替弁７の開度設定の異常判定を行うものであり、冷蔵庫１の構造及び通常の運転動作は、前記実施の形態１と同じである。
以下、図１、２、３により、三方切替弁７の開度設定の異常判定動作を説明する。
本実施の形態の冷蔵庫は、減圧装置として、２本の異径の毛細管を並列に配置し、三方切替弁７により、圧縮機７の回転数に応じて、２本共開、どちらか一方を開又は２本共閉と切替える。即ち、開度を切替える。
操作パネル１６を所定の操作、例えば通常操作上ありえないスイッチを複数個同時に長押しすることにより、アクチュエータ操作モードとなる。次いで、操作パネル１６のスイッチで三方切替弁操作状態に設定し、さらに、三方切替弁７の開度を設定する。アクチュエータ操作モードにおいては、三方切替弁７は任意の開度に変更することが可能となり、開度を変化させ判定を行うことができる。
【００２２】
パネル１６の前記入力により、冷蔵庫制御基板１７は、三方切替弁７を設定開度指定で動作させる。また、冷蔵庫制御基板１７は、三方切替弁７を動作設定した場合は、冷却器６を冷却するために圧縮機１も同時に運転させる。
この時の開度を操作パネル１６に表示すると共に、冷却器温度検知センサ１１の検知温度も表示する。
【００２３】
一連の動作開始時の冷却器温度検知センサ１１の検知温度と、所定の時間、例えば５分経過後の冷却器検知センサ１１の検知温度を比較することにより、即ち、前記一連の動作開始から所定の時間後の冷却器温度検知センサ１１の検知温度と、前記一連の動作開始時の冷却器温度検知センサ１１の検知温度に基づく所定の時間後の三方切替弁の設定開度に対応する冷却器温度との比較により、三方切替弁７の開度が正常かどうか判定する。
このように、外観からでは確認できない三方切替弁７が設定開度で動作しているかが、冷蔵庫を解体しなくても容易に確認することができる。
【００２４】
この際の、前記一連の動作開始時の冷却器温度検知センサ１１の検知温度に基づく所定の時間後の三方切替弁７の設定開度に対応する冷却器温度の算出は、冷蔵庫制御基板１７がデータベースにより演算する。
操作パネル１６の表示は、正常、異常をＬＥＤによる点灯、点滅で行ってもよく、また、正常、異常をブザー音の音色、ブザー音回数で知らせても構わない。
【００２５】
本実施の形態では、アクチュエータ操作モードにおいて、操作パネル１６から、三方切替弁７の動作及び開度設定の指令の入力により、冷蔵庫制御基板１７が、三方切替弁７の開度を設定開度指定で動作させ、また圧縮機５を動作させ、一連の動作開始から所定の時間後の冷却器温度検知センサ１１の検知情報と、一連の動作開始時の冷却器温度検知センサ１１の検知情報に基づく所定の時間後の三方切替弁７の設定開度に対応する冷却器温度との比較により、三方切替弁７の開度設定が正常かどうか判定するので、アクチュエータを独立に動作させることにより、外観からでは確認できない三方切替弁７が設定開度で動作しているかが、冷蔵庫を解体しなくても容易に確認することができる。
【００２６】
実施の形態４．
本実施の形態は、除霜用ヒータ８が通電しているかの除霜用ヒータ８の異常判定を行うものであり、冷蔵庫１の構造及び通常の運転動作は、前記実施の形態１と同じである。
以下、図１、２、３により、除霜用ヒータ８の異常判定動作を説明する。
冷蔵庫運転中、操作パネル１６を所定の操作、例えば通常操作上ありえないスイッチを複数個同時に長押しすることにより、アクチュエータ操作モードとなる。次いで、操作パネル１６のスイッチで除霜用ヒータ操作状態に設定し、さらに、除霜用ヒータ８の通電を設定する。アクチュエータ操作モードにおいては、除霜用ヒータ８の通電は任意に設定可能となる。
【００２７】
パネル１６の前記入力により、冷蔵庫制御基板１７は、除霜用ヒータ８の通電設定を動作させる。また、冷蔵庫制御基板１７は、除霜用ヒータ８の通電の動作設定した場合は、圧縮機１も同時に運転させる。
この時の除霜用ヒータ８の通電状態を操作パネル１６に表示すると共に、冷却器温度検知センサ１１の検知温度も表示する。
【００２８】
一連の動作開始時の冷却器温度検知センサ１１の検知温度と、所定の時間、例えば５分経過後の冷却器温度検知センサ１１の検知温度を比較することにより、即ち、前記一連の動作開始から所定の時間後の冷却器温度検知センサ１１の検知温度と、前記一連の動作開始時の冷却器温度検知センサ１１の検知温度に基づく所定の時間後の除霜用ヒータ８の通電に対応する冷却器温度との比較により、除霜用ヒータ８が正常に通電しているかどうか判定する。
このように、外観からでは確認できない除霜用ヒータ８の通電動作が、冷蔵庫を解体しなくても容易に確認することができる。
【００２９】
この際の、前記一連の動作開始時の冷却器温度検知センサ１１の検知温度に基づく所定の時間後の除霜用ヒータ８の通電に対応する冷却器温度の算出は、冷蔵庫制御基板１７がデータベースにより演算する。
操作パネル１６の表示は、正常、異常をＬＥＤによる点灯、点滅で行ってもよく、また、正常、異常をブザー音の音色、ブザー音回数で知らせても構わない。
【００３０】
本実施の形態では、アクチュエータ操作モードにおいて、操作パネル１６から、冷却器６の除霜用ヒータ８の動作指令の入力により、冷蔵庫制御基板１７が、除霜用ヒータ８を動作させ、また圧縮機５を動作させ、一連の動作開始から所定の時間後の冷却器温度検知センサ１１の検知情報と、一連の動作開始時の冷却器温度検知センサ１１の検知情報に基づく所定の時間後の除霜用ヒータ８動作に対応する冷却器温度との比較により、除霜用ヒータの動作が正常かどうか判定するので、アクチュエータを独立に動作させることにより、外観からでは確認できない除霜用ヒータ８の通電動作が、冷蔵庫を解体しなくても容易に確認することができる。
【００３１】
実施の形態５．
本実施の形態は、庫内ファン１９ｂが正常に回転しているか、また、ダクト内の詰まりがないかを判定するものであり、冷蔵庫１の構造及び通常の運転動作は、前記実施の形態１と同じである。
以下、図１、２、３により、庫内ファン１９ｂが正常に回転しているか、また、ダクト内の詰まりがないかの判定動作を説明する。
冷蔵庫運転中、操作パネル１６を所定の操作、例えば通常操作上ありえないスイッチを複数個同時に長押しすることにより、アクチュエータ操作モードとなる。次いで、操作パネル１６のスイッチで庫内ファン１９ｂ操作状態に設定し、さらに、庫内ファン１９ｂの回転数を設定する。アクチュエータ操作モードにおいては、庫内ファン１９ｂの回転数は任意に設定可能となり、設定回転数を変化させ検査できる。
【００３２】
パネル１６の前記入力により、冷蔵庫制御基板１７は、庫内ファン１９ｂを設定回転数指定で動作させる。
庫内ファン１９ｂが運転中は、図３に示すように、庫内ファン１９ｂの回転数を示すフィードバック信号１９ｃが冷蔵庫制御基板１７に入力される。この回転数を表示することにより、庫内ファン１９ｂが設定回転数で運転するか確認できる。
【００３３】
また、アクチュエータ操作モードで、操作パネル１６が庫内ファン１９ｂ操作状態に設定し、庫内ファン１９ｂの回転数を設定し、さらに冷蔵室冷気調整ダンパ２０を操作状態に設定し、開度設定することにより、冷蔵庫制御基板１７は、庫内ファン１９ｂを設定回転数指定で動作させ、冷蔵室冷気調整ダンパ２０を設定開度指定で動作させ、また圧縮機５を動作させる。
この時、操作パネル１６に庫内ファン１９ｂの回転数を表示すると共に、冷蔵室温度検知センサ１３の検知温度も表示する。
【００３４】
一連の動作開始時の冷蔵室温度検知センサ１３の検知温度と、所定の時間、例えば５分経過後の冷蔵室温度検知センサ１３の検知温度とを比較することにより、即ち、前記一連の動作開始から所定の時間後の冷蔵室温度検知センサ１３の検知温度と、前記一連の動作開始時の冷蔵室温度検知センサ１３の検知温度に基づく所定の時間後の冷蔵室冷気調整ダンパ２０の設定開度及び庫内ファン１９ｂの設定回転数に対応する冷蔵室温度との比較により、外観からでは確認できない冷蔵室ダクト９内が氷等による詰まりがないか、冷蔵庫を解体しなくても容易に確認することができる。
【００３５】
この際の、前記一連の動作開始時の冷蔵室温度検知センサ１３の検知温度に基づく所定の時間後の冷蔵室冷気調整ダンパ２０の設定開度及び庫内ファン１９ｂの設定回転数に対応する冷蔵室温度の算出は、冷蔵庫制御基板１７がデータベースにより演算する。
操作パネル１６の表示は、正常、異常をＬＥＤによる点灯、点滅で行ってもよく、また、正常、異常をブザー音の音色、ブザー音回数で知らせても構わない。また、冷凍室冷気調整ダンパ２１の場合も前記冷蔵室冷気調整ダンパ２０の場合と同じである。
【００３６】
本実施の形態では、アクチュエータ操作モードにおいて、操作パネル１６から、冷却器６からの冷却風を送付する庫内ファン１９ｂの動作及び回転数設定指令の入力により、冷蔵庫制御基板１７が、庫内ファン１９ｂを設定回転数指定で動作させ、庫内ファン１９ｂからの回転数を示すフィードバック信号により、庫内ファン１９ｂの回転数が正常かどうか判定するものであるするので、アクチュエータを独立に動作させることにより、外観からでは確認できない庫内ファン１９ｂが設定回転数で運転するかが確認できる。
【００３７】
実施の形態６．
本実施の形態は、機械室ファン２２ｂが正常に回転するかを判定するものであり、冷蔵庫１の構造及び通常の運転動作は、前記実施の形態１と同じである。
図５は、実施の形態６に係る冷蔵庫１の機械室の断面図である。図５の機械室には、圧縮機５、機械室温度検知センサ１８、圧縮機５の側方に設置された機械室ファンモータ２２ａ、機械室ファンモータ２２ａに取り付けられた機械室ファン２２ｂ等がある。機械室ファン２２ｂは、圧縮機運転中に圧縮機温度の上昇を防ぐための圧縮機冷却用ファンである。
【００３８】
以下、図１、２、３、５により、機械室ファン２２ｂが正常に回転しているかの判定動作を説明する。
冷蔵庫運転中、操作パネル１６を所定の操作、例えば通常操作上ありえないスイッチを複数個同時に長押しすることにより、アクチュエータ操作モードとなる。次いで、操作パネル１６のスイッチで機械室ファン２２ｂ操作状態に設定し、さらに、機械室ファン２２ｂの回転数を設定する。アクチュエータ操作モードにおいては、機械室ファン２２ｂの回転数は任意に設定可能となり、設定回転数を変化させ、検査できる。
【００３９】
パネル１６の前記入力により、冷蔵庫制御基板１７は、機械室ファン２２ｂを設定回転数指定で動作させる。
機械室ファン２２ｂが運転中は、図３に示すように、機械室ファン２２ｂの回転数を示すフィードバック信号２２ｃが冷蔵庫制御基板１７に入力される。この回転数をパネル１６に表示することにより、機械室ファン２２ｂが設定回転数で運転するか確認できる。
また、機械室ファン２２ｂを運転させると同時に、機械室温度検知センサ１８の検知温度の表示を行い、所定の時間、例えば５分経過後の機械室温度検知センサ１８の検知温度を比較することにより、即ち、一連の動作開始から所定の時間、例えば５分経過後の機械室温度検知センサ１８の検知温度と、前記一連の動作開始時の機械室温度検知センサ１８の検知温度に基づく所定の時間後の機械室ファン２２ｂの設定回転数に対応する機械室温度を比較することにより、外観からでは確認できない機械室ファン２２ｂが正常に回転しているかが、冷蔵庫を解体しなくても容易に確認することができる。
【００４０】
この際の、前記一連の動作開始時の機械室温度検知センサ１８の検知温度に基づく所定の時間後の機械室ファン２２ｂの設定回転数に対応する機械室温度の算出は、冷蔵庫制御基板１７がデータベースにより演算する。
操作パネル１６の表示は、正常、異常をＬＥＤによる点灯、点滅で行ってもよく、また、正常、異常をブザー音の音色、ブザー音回数で知らせても構わない。また、冷凍室冷気調整ダンパ２１の場合も前記冷蔵室冷気調整ダンパ２０の場合と同じである。
【００４１】
本実施の形態では、アクチュエータ操作モードにおいて、操作パネル１６から、機械室ファン２２ｂ動作及び回転数設定指令の入力により、冷蔵庫制御基板１７が、機械室ファン２２ｂを設定回転数指定で動作させ、機械室ファン２２ｂからの回転数を示すフィードバック信号により、または冷蔵庫制御基板１７が、機械室ファン２２ｂを設定回転数指定で動作させ、一連の動作開始から所定の時間後の機械室温度検知センサ１８の検知情報と、一連の動作開始時の機械室温度検知センサ１８の検知情報に基づく所定の時間後の機械室ファン２２ｂ動作に対応する機械室温度との比較により、機械室ファン２２ｂの回転数が正常かどうか判定するので、アクチュエータを独立に動作させることにより、外観からでは確認できない機械室ファン２２ｂが設定回転数で運転するかが確認できる。
【００４２】
実施の形態７．
本実施の形態は、野菜室ヒータ１０が通電しているかの野菜室ヒータ１０の異常判定を行うものであり、冷蔵庫１の構造及び通常の運転動作は、前記実施の形態１と同じである。なお、野菜室ヒータ１０は、野菜室３が外気温度、隣接する冷却室の温度により、冷やし過ぎになった場合に通電される。
以下、図１、２、３により、野菜室ヒータ１０の異常判定動作を説明する。
冷蔵庫運転中に、操作パネル１６を所定の操作、例えば通常操作上ありえないスイッチを複数個同時に長押しすることにより、アクチュエータ操作モードとなる。次いで、操作パネル１６のスイッチで野菜室ヒータ操作状態に設定し、さらに、野菜室ヒータ１０の通電を設定する。アクチュエータ操作モードにおいては、野菜室ヒータ１０の通電は任意に設定可能となる。
【００４３】
パネル１６の前記入力により、冷蔵庫制御基板１７は、野菜室ヒータ１０の通電設定を動作させる。
この時の野菜室ヒータ１０の通電状態を操作パネル１６に表示すると共に、野菜室温度検知センサ１４の検知温度を表示する。
【００４４】
動作開始時の野菜室温度検知センサ１４の検知温度と、所定の時間、例えば５分経過後の野菜室温度検知センサ１４の検知温度を比較することにより、即ち、前記動作開始から所定の時間後の野菜室温度検知センサ１４の検知温度と、前記動作開始時の野菜室温度検知センサ１４の検知温度に基づく所定の時間後の野菜室ヒータ１０の通電に対応する野菜室温度との比較により、野菜室ヒータ１０が正常に通電しているかどうか判定する。
このように、外観からでは確認できない野菜室ヒータ１０の通電動作が、冷蔵庫を解体しなくても容易に確認することができる。
【００４５】
この際の、前記動作開始時の野菜室温度検知センサ１４の検知温度に基づく所定の時間後の野菜室ヒータ１０の通電に対応する野菜室温度の算出は、冷蔵庫制御基板１７がデータベースにより演算する。
操作パネル１６の表示は、正常、異常をＬＥＤによる点灯、点滅で行ってもよく、また、正常、異常をブザー音の音色、ブザー音回数で知らせても構わない。
【００４６】
本実施の形態では、アクチュエータ操作モードにおいて、冷却室が、室内の温度を検知する野菜室温度検知センサ１４と野菜室ヒータ１０とを備えた野菜室３であり、アクチュエータ操作モードにおいて、操作パネル１６から、野菜室ヒータ１０の動作指令の入力により、冷蔵庫制御基板１７が、野菜室ヒータ１０を動作させ、野菜室ヒータ１０の動作開始から所定の時間後の野菜室温度検知センサ１４の検知情報と、野菜室ヒータ１０動作開始時の野菜室温度検知センサ１４の検知情報に基づく所定の時間後の野菜室ヒータ１０動作に対応する野菜室温度との比較により、野菜室ヒータ１０の動作が正常かどうか判定するので、アクチュエータを独立に動作させることにより、外観からでは確認できない、野菜室ヒータ１０が正常に通電しているかどうかが容易に確認することができる。
【００４７】
実施の形態８．
図６は、実施の形態８に係る操作パネル、アクチュエータ操作専用パネルの冷蔵庫への取付けを示す図である。
ここに、操作パネル１６は、エンドユーザが使用する操作パネルであり、その液晶表示やスイッチは冷蔵庫の機能にそったものを使用するため、各アクチュエータの名称の表示、動作中／停止中の表示及び結果の正常／異常等の表示には適していない。しかしながら、アクチュエータ操作専用パネル２３は、エンドユーザ用ではなく、アクチュエータを検査用であり、そのための専用の表示及びスイッチを有している。
【００４８】
そこで、冷蔵庫の動作部品が正常に動くかアクチュエータの検査を行う際、操作パネル１６を冷蔵庫１と接続しているコネクタから一旦外し、アクチュエータ操作専用操作パネル２３を接続することにより、より操作しやすく、また確認しやすい表示を行うことができる。
その他の冷蔵庫１の構造及び運転動作は、実施の形態１、２、３、４、５、６又は７と同じである。
【００４９】
このアクチュエータ操作専用パネル２３と冷蔵庫１の通信プロトコルは、操作パネル１６と同様に行うことにより、制御基板１７は、操作パネル１６とアクチュエータ操作専用パネル２３と区別なく通信を行うことができる。
アクチュエータ操作専用パネル２３を事前に作成し、冷蔵庫製造ライン、サービスセンタ等に配置することにより、冷蔵庫製造ライン、サービス時に冷蔵庫１の運転状態、正常、異常が容易に確認することができる。
【００５０】
実施の形態９．
図７は、実施の形態９に係る冷蔵庫とサービスセンタとをインターネット網により接続する例を示す図である。図６において、１は冷蔵庫、１６は操作パネル、３０はサービスセンタ、３１はインターネット網である。
その他の冷蔵庫１の構造及び運転動作は、実施の形態１、２、３、４、５、６、７又は８と同じである。
インターネット網３１で接続することにより、前記実施の形態１〜７のように、サービスセンタ３０が操作パネル１６を操作することにより、冷蔵庫１の状態、正常、異常を判定できる。
また、冷蔵庫１の使用者からの通報により、サービスセンタ３０では、冷蔵庫１の情報を得て、この情報から冷蔵庫１の故障状態が特定でき、サービス時の効率が図られる。
また、冷蔵庫をエコーネットで接続し、インターネット網に接続ても構わない。
【００５１】
【発明の効果】
本発明に係る冷蔵庫は、冷蔵庫の各種動作部品を動作させるアクチュエータを制御する冷蔵庫制御基板と、冷蔵庫制御基板と信号の送受信が可能な操作パネルとを備え、操作パネルからのアクチュエータ操作モードの入力により、冷蔵庫制御基板は、アクチュエータの動作に関する、センサ検知情報からの制約を解除し、操作パネルからの指令により、冷蔵庫制御基板が関連のアクチュエータを独立に動作させるので、アクチュエータを独立に動作させることにより、冷蔵庫を解体しなくても、動作部品の動作の正常、異常の確認が容易にできる。
【図面の簡単な説明】
【図１】本発明の冷蔵庫を示す外観図である。
【図２】本発明の冷蔵庫制御基板の制御を説明するための冷蔵庫の縦断面図である。
【図３】本発明の操作パネル、冷蔵庫制御基板及びアクチュエータが動かす動作部品の関係を説明する図である。
【図４】本発明の実施の形態１の圧縮機の異常検出のフローチャート図である。
【図５】本発明の実施の形態６の機械室の断面図である。
【図６】本発明の実施の形態８の操作パネル、アクチュエータ操作専用パネルの冷蔵庫への取付を示す図である。
【図７】本発明の実施の形態９の冷蔵庫とサービスセンタとをインターネット網により接続することを示す図である。
【符号の説明】
１　冷蔵庫、２、３、４　冷却室、５　圧縮機、６　冷却器、７　三方切替弁、８　除霜用ヒータ、９、１２　ダクト、１０　野菜室ヒータ、１３　野菜室温度検知センサ、１６　操作パネル、１９ｂ　庫内ファン、１９ｃ　フィードバック信号、２０、２１　冷気調整ダンパ、２２ｂ　機械室ファン、２２ｃ　フィードバック信号、２３　アクチュエータ操作専用パネル、３０　サービスセンタ、３１　インターネット網。
【図１】
2004101068.tif 000003
【図２】
2004101068.tif 000004
【図３】
2004101068.tif 000005
【図４】
2004101068.tif 000006
【図５】
2004101068.tif 000007
【図６】
2004101068.tif 000008
【図７】
2004101068.tif 000009